(57)【要約】【課題】居住者が不在であっても在宅しているかのような応答を可能とするドアホン装置を提供する。【解決手段】このドアホン装置（ドアホン親機２３）は、宅外に配置されたドアホン子機（２２）と通話可能な宅内に配置された装置である。予め連携登録しておいた携帯端末（２５）と通信する携帯端末通信部（６１）と、携帯端末が取得した音声信号から背景音を除いて通話者の音声のみを抽出する端末音声抽出部（７２）と、宅内背景音を取得する背景音取得部（７１）と、抽出した前記音声と取得した前記背景音を合成した合成音を生成する音声合成部（７３）と、を備える。ドアホン子機から訪問者の呼び出しがあって居住者が不在であった場合に、携帯端末通信部によってドアホン子機と携帯端末との間で通話可能とし、携帯端末からドアホン子機へは合成音を出力させる。【選択図】図２
2016015632.tif 000002
【特許請求の範囲】
【請求項１】
宅外に配置されたドアホン子機と通話可能な宅内に配置されたドアホン装置において、
予め登録しておいた携帯端末と通信する通信手段と、
前記携帯端末が取得した音声信号から背景音を除いて通話者の音声のみを抽出する音声抽出手段と、
宅内の背景音を取得する背景音取得手段と、
抽出した前記音声と取得した前記背景音を合成した合成音を生成する音声合成手段と、
を備え、
前記ドアホン子機から訪問者の呼び出しがあって居住者が不在であった場合に、前記通信手段によって前記ドアホン子機と前記携帯端末との間で通話可能とし、前記携帯端末から前記ドアホン子機へは前記合成音を出力させることを特徴とするドアホン装置。
【請求項２】
前記背景音取得手段は、宅内のマイクにより背景音を取得することを特徴とする請求項１に記載のドアホン装置。
【請求項３】
予め背景音データを登録しておく背景音記憶手段と、
音声信号を宅内スピーカに出力する音声出力手段と、
を更に備え、
前記背景音取得手段は、前記背景音記憶手段に予め登録していた前記背景音データを取得し、
前記音声出力手段は、前記背景音データを出力することを特徴とする請求項１に記載のドアホン装置。
【請求項４】
前記ドアホン子機を使用する訪問者を撮影する撮影手段によって取得した映像を、前記通信手段により前記携帯端末に送り、
前記携帯端末からの前記音声合成手段の音声合成による通話を行うか、音声合成を行わない通話を行うかの選択指示に従って通話処理を行うことを特徴とする請求項１、２又は３に記載のドアホン装置。
【請求項５】
室内照明をオンオフ可能な切替手段と、室内照度を測定する照度測定手段と接続し、
室内照度が所定の照度未満のときに前記音声合成手段による音声合成の通話を行う場合
、前記切替手段に室内照明をオンするように指示を出すことを特徴とする請求項１から４のいずれか一項に記載のドアホン装置。
【請求項６】
予め応対発言を登録しておく発言記憶手段を更に備え、
前記音声抽出手段は、前記発言記憶手段に登録した応対発言から音声を抽出し、
前記音声合成手段は、抽出した前記応対発言の音声と前記背景音を合成することを特徴とする請求項１から５のいずれか一項に記載のドアホン装置。
【発明の詳細な説明】
【技術分野】
【０００１】
本発明は、宅外の玄関に配置されるドアホン子機と通話可能である宅内に配置されるドアホン装置に関する。
【背景技術】
【０００２】
近年、ドアホンシステムは、宅外の玄関に配置されるドアホン子機と、宅内に配置されてドアホン子機と通話可能なドアホン親機とを備え、ドアホン子機に備えたカメラで訪問者を撮影し、その映像をドアホン親機のモニタで確認し、訪問者と通話できる構成となっている。そして、居住者が外出していてドアホン親機にて応答ができない場合、携帯電話などの携帯端末にて応答できるものも提案されている。
【０００３】
特許文献１には、「インターホンの呼び出しに対して外出先の携帯端末で応答することができるシステムにおいて、応対の際に屋外の騒音などが音声と背景音とに分離し、背景音を予め記憶した別の背景音と差し替えて音声合成して出力する」技術が開示されている。
【先行技術文献】
【特許文献】
【０００４】
【特許文献１】特開２００３−１０２００３号公報
【発明の概要】
【発明が解決しようとする課題】
【０００５】
しかしながら、特許文献１の技術では、不審者が訪問し居住者の在宅を確認しようとして、インターホンにて応答中にドアをノックしたり、故意に音を立てたりした場合、これらが応答中の音声に反映されない。また、ペットの犬などが吠えたりするような、突然の音の発生も、応答音声に反映されない。従って、不審者に、本人は在宅しておらず、遠隔操作による応答ではないかと疑いを持たせてしまう可能性がある。
【０００６】
本発明は、斯かる実情に鑑み、居住者が不在であっても在宅しているかのような応答を可能とするドアホン装置を提供することを目的とする。
【課題を解決するための手段】
【０００７】
本発明は、宅外に配置されたドアホン子機と通話可能な宅内に配置されたドアホン装置において、予め連携登録しておいた携帯端末と通信する通信手段と、前記携帯端末が取得した音声信号から背景音を除いて通話者の音声のみを抽出する音声抽出手段と、宅内の背景音を取得する背景音取得手段と、抽出した前記音声と取得した前記背景音を合成した合成音を生成する音声合成手段と、を備え、前記ドアホン子機から訪問者の呼び出しがあって居住者が不在であった場合に、前記通信手段によって前記ドアホン子機と前記携帯端末との間で通話可能とし、前記携帯端末から前記ドアホン子機へは前記合成音を出力させることを特徴とするものである。
【０００８】
前記背景音取得手段は、宅内のマイクにより背景音を取得することを特徴とする。
【０００９】
また、本発明のドアホン装置は、予め背景音データを登録しておく背景音記憶手段と、音声信号を宅内スピーカに出力する音声出力手段と、を更に備え、前記背景音取得手段は、前記背景音記憶手段に予め登録していた前記背景音データを取得し、前記音声出力手段は、前記背景音データを出力することを特徴とする。
【００１０】
また、本発明のドアホン装置は、前記ドアホン子機を使用する訪問者を撮影する撮影手段によって取得した映像を、前記通信手段により前記携帯端末に送り、前記携帯端末からの前記音声合成手段の音声合成による通話を行うか、音声合成を行わない通話を行うかの選択指示に従って通話処理を行うことを特徴とする。
【００１１】
また、本発明のドアホン装置は、室内照明をオンオフ可能な切替手段と、室内照度を測定する照度測定手段と接続し、室内照度が所定の照度未満のときに前記音声合成手段による音声合成の通話を行う場合、前記切替手段に室内照明をオンするように指示を出すことを特徴とする。
【００１２】
また、本発明のドアホン装置は、予め応対発言を登録しておく発言記憶手段を更に備え、前記音声抽出手段は、前記発言記憶手段に登録した応対発言から音声を抽出し、前記音声合成手段は、抽出した前記応対発言の音声と前記背景音を合成することを特徴とする。
【発明の効果】
【００１３】
本発明によれば、居住者の声と共に宅内で発生する背景音をドアホン子機から出力するので、不審な訪問者に外出している事を悟られないようにし、空き巣被害などを未然に防止するという防犯効果がある。
【図面の簡単な説明】
【００１４】
【図１】ドアホンシステムを示す概略図である。
【図２】第１実施形態におけるドアホンシステムを示すブロック図である。
【図３】第１実施形態におけるドアホンシステムの処理を示すフローチャートである。
【図４】第１実施形態におけるドアホンシステムによって携帯端末に表示された撮影映像を示す図である。
【図５】第２実施形態におけるドアホンシステムの処理を示すフローチャートである。
【図６】第２実施形態におけるドアホンシステムによって携帯端末に表示された撮影映像を示す図である。
【図７】第３実施形態におけるドアホンシステムの処理を示すフローチャートである。
【図８】第３実施形態におけるドアホンシステムによって携帯端末に表示された撮影映像を示す図である。
【図９】第４実施形態におけるドアホンシステムの処理を示すフローチャートである。
【図１０】第５実施形態におけるドアホンシステムの処理を示すフローチャートである。
【図１１】第５実施形態におけるドアホンシステムによって携帯端末に表示された撮影映像を示す図である。
【発明を実施するための形態】
【００１５】
以下、本発明の実施の形態を添付図面を参照して説明する。
【００１６】
図１は、ドアホンシステムを示す概略図である。ドアホンシステム１０は、家２１の外の玄関に配置されたドアホン子機（以降、子機と称する）２２と、家２１の中に配置されたドアホン装置であるドアホン親機（以降、親機と称する）２３と、を備える構成である。そして、親機２３は、インターネット２４を介して携帯端末２５と通信可能である。居住者は、携帯端末２５を使い、親機２３を介して子機２２との間で通話が可能である。携帯端末２５は、たとえばスマートホン、タブレット端末、ノートパソコンなどである。
【００１７】
訪問者２６があった場合、訪問者２６は玄関の子機２２を使用して宅内に連絡を取る。このとき、居住者２７は外にいて留守であっても、親機２３から登録されている携帯端末２５に通知を行って、携帯端末２５からインターネットを介して子機２２への通話が可能である。このとき訪問者２６が不審者であって、留守を確認するためにドアホンを利用している可能性がある。不審者であれば、通話の音から居住者２７が実際に宅内にいる否かを確認しようとすることも考えられる。
そこで、以下に対策としての実施形態を説明する。
【００１８】
［第１実施形態］
図２は、第１実施形態におけるドアホンを示すブロック図である。
子機２２は、カメラ３１、マイク３２、スピーカ３３、操作ボタン３４、子機制御部３５、通信部３６から構成される。子機制御部３５は、カメラ３１の撮影映像信号、マイク３２が取得した音声信号、操作ボタン３４が押されたことを示す操作信号を、通信部３６を介して親機２３に送る。また、子機制御部３５は、親機２３からの音声信号をスピーカ３３に出力する処理を行う。
【００１９】
ここで、カメラ３１、マイク３２、スピーカ３３は、子機２２に備えられているものとしたが、単体で子機２２の外に配置されるものでもよい。この場合は、子機２２、あるいは親機２３に接続するものとする。子機２２に接続したものは、子機制御部３５が制御を行い。親機２３に接続したものは、後述する親機制御部５６が制御を行う。
【００２０】
子機制御部３５は、操作ボタン３４が押されると、その操作信号を親機２３に送ると同時に、カメラ３１、マイク３２の起動を指示し、カメラ３１が撮影した映像信号と、マイク３２が取得した音声信号とを、親機２３に送る。子機制御部３５は、親機２３より音声信号が送られた場合には、スピーカ３３に出力する。こうして、子機２２と親機２３の間で通話を可能としている。
【００２１】
親機２３は、ドアホン通信部５１、表示部５２、操作ボタン５３、スピーカ５４、マイク５５、親機制御部５６、記憶部５７、映像処理部５８、親機出力音声処理部５９、子機出力音声処理部６０、携帯端末通信部６１から構成される。
【００２２】
ドアホン通信部５１は、子機２２の通信部３６と通信を行う。通信方式は、有線でも無線でも構わない。
表示部５２は、液晶等からなるモニタディスプレイであり、子機２２のカメラ３１が撮影した映像や操作説明などを表示する。
【００２３】
親機制御部５６は、操作ボタン５３の操作信号や実行プログラムに従って各部の制御を行う。
記憶部５７は、メモリなどの記憶媒体であり、親機制御部５６が実行するプログラムや、映像や音声のデータを記憶している。
映像処理部５８は、子機２２からの撮影映像や操作説明などの信号を処理して表示部５２に表示する。
親機出力音声処理部５９は、音声信号を処理してスピーカ５４に出力する。
【００２４】
なお、スピーカやマイクは親機２３に備え付けのものでなくともよく、宅内に配置されたＴＶなどの他の製品のスピーカやマイクでも構わないし、宅内に配置されたスピーカ単体やマイク単体でも構わない。ただし、これらの場合は、親機２３と連携させることが必要である。
【００２５】
子機出力音声処理部６０は、子機２２への出力する音声信号を処理する。この子機出力音声処理部６０は、背景音取得部７１と、端末音声抽出部７２と、音声合成部７３とを備える。背景音取得部７１は、親機のマイク５５から家の中の音を得て、それを宅内の背景音として取得する。端末音声抽出部７２は、携帯端末２５からの音声信号から、携帯端末周囲の背景音を除去して通話者（居住者）の音声だけを抽出する。音声合成部７３は、取得した宅内背景音と抽出した音声とを合成して親機制御部５６に送り、親機制御部５６は、ドアホン通信部５１を介して子機２２に送る。
【００２６】
携帯端末通信部６１は、携帯端末２５と通信を行う。ここでは、インターネット通信で行うものとしているが、電話回線でも構わないし、有線、無線を問わない。携帯端末２５には、インターネット上の指定のダウンロードサイトから親機２３と通信をするための専用アプリケーションをダウンロードしておく。そして、携帯端末２５にダウンロードした専用アプリケーションによって、予め親機２３に登録しておき、通信するための識別データや宛先データなどの通信接続情報を記憶部５７に記憶しておく。また、同時に専用アプリケーションによって、携帯端末２５にも親機２３の登録が行われ、通信が開始されたとき、親機２３からの通信であることを表示するようにしておく。親機制御部５６は、携帯端末通信部６１により通信接続情報に従って携帯端末２５と通信を行う。
【００２７】
図３は、第１実施形態におけるドアホンシステムの処理を示すフローチャートである。
このフローチャートは親機制御部５６の処理内容を示すものである。
親機制御部５６は、玄関にある子機２２の操作ボタン３４が押されたかを確認している（ステップＳ１１）。訪問者２６によって子機２２の操作ボタン３４が押された場合、子機制御部３５に操作ボタン３４が押された旨の操作信号が入り、通信部３６を介し親機２３に送られる。親機２３では、ドアホン通信部５１を介して親機制御部５６に操作信号が入力され、親機制御部５６は、操作ボタン３４が押されたことを確認する。
【００２８】
親機制御部５６は、居住者２７が在宅中か否かを確認する（ステップＳ１２）。居住者２７が外出する場合は、予め親機２３に外出を登録しておき、記憶部５７に記憶されている。外出登録は、親機２３の操作ボタン５３によって登録してもよいし、携帯端末２５を使って親機２３に外出登録を行うことも可能である。親機制御部５６は、外出登録がなければ居住者が在宅中と判断し、外出登録があれば不在と判断する。
【００２９】
外出登録が行われていない場合は、居住者２７は在宅中であるので、携帯端末２５と通信は行わずに、親機２３による応対を行う（ステップＳ１３）。親機制御部５６は、居住者２７の操作ボタン５３による操作に応じて、子機２２から送られた映像信号を表示部５２に表示したり、子機２２からの音声信号をスピーカ５４に出力したり、マイク５５から入力された音声信号を子機２２に出力したりする。こうして、訪問者２６と居住者２７は、子機２２と親機２３により通話が可能となる。
【００３０】
外出登録が行われている場合は、居住者２７は不在であるので、親機制御部５６は、登録された宛先データに従って、携帯端末２５に通信を開始し、訪問者２６が来たことを外出している居住者２７に通知する（ステップＳ１４）。携帯端末２５は、親機２３からの通信であることを表示し、居住者２７に通知する。
【００３１】
親機制御部５６は、子機制御部３５からのカメラ３１の映像信号を携帯端末通信部６１を介して携帯端末２５に送り、携帯端末２５に映像を表示させる（ステップＳ１５）。
【００３２】
図４は、第１実施形態におけるドアホンシステムによって携帯端末に表示された撮影映像を示す図である。
携帯端末２５の表示部８１には、子機２２のカメラ３１による訪問者２６の撮影映像８２が表示される。
【００３３】
親機制御部５６は、在宅モードを選択し、その旨を表示するように携帯端末２５に指示を送り、図４に示すように携帯端末２５の表示部８１の下部に「在宅モードにします。」との表示８３を行う（ステップＳ１６）。親機制御部５６は、在宅モードで子機２２と携帯端末２５の間で通信を行う（ステップＳ１７）。すなわち、親機２３のマイク５５を起動して、宅内の背景音を検出させ、子機出力音声処理部６０の背景音取得部７１に背景音を送る。子機出力音声処理部６０の端末音声抽出部７２は携帯端末２５の音声信号から背景音を消して居住者（携帯端末の通話者）の音声のみとする。音声合成部７３は、取得した宅内の背景音と抽出した携帯端末２５の音声を合成する。そして親機制御部５６に生成した合成音声を送り、親機制御部５６は、ドアホン通信部５１を介して子機２２に送り、スピーカ３３に合成音声を出力させる。このように、親機２３を介して、子機２２のマイク３２で取得した音声がそのまま携帯端末２５に送られ、携帯端末２５からの音声は、宅内の背景音との合成音として親機２３で処理されて子機２２に送られる。
【００３４】
こうして、外出先の携帯端末２５から応答する場合は、宅内の背景音と携帯端末２５からの音声を合成して子機２２に出力するので、不審な訪問者２６には居住者２７が親機２３から応答していると思わせることができる。特に、家の中の実際の音を合成する事により、訪問者が故意に鳴らした音（ドアを叩く音等）や、ペットの音声等も、子機２２のスピーカ３３から出力されるので、訪問者２６に居住者２７が外出している事を悟られないようにし、空き巣被害を未然に防止するなどの防犯の効果が得られる。
【００３５】
［第２実施形態］
本実施形態は、訪問者が居住者の不在を知られても問題が生じない人物と確認できた場合、通常のモードで応答出来るようにするものである。知り合いの訪問者であれば、むしろ不在であることが知られた方が良い場合もあるので、「在宅モード」と「通常モード」を切替可能としたものである。ドアホンシステムの構成は、図２の第１実施形態と同じものとする。
【００３６】
図５は、第２実施形態におけるドアホンシステムの処理を示すフローチャートである。
ステップＳ２１〜Ｓ２５は、図３のステップＳ１１〜Ｓ１５と同様の処理であるので説明は省略する。
【００３７】
図６は、第２実施形態におけるドアホンシステムによって携帯端末に表示された撮影映像を示す図である。
ステップＳ２５において、図６に示すように、携帯端末２５に訪問者２６の映像８２が表示され、同時に「通常モード」キー８４と、「在宅モード」キー８５を表示する。「通常モード」は、携帯端末２５が拾った音をそのまま出力して応答するものである。「在宅モード」は、前述のように、宅内の背景音と携帯端末２５の居住者２７の音声を合成して子機２２に出力して応答するものである。
【００３８】
居住者２７は、携帯端末２５の表示部８１に表示された訪問者２６の映像８２を見て、不在を知らせてもよい人物か、在宅中と思わせた方が良い人物かを判断する。不在を知らせても良い人物であるときは、「通常モード」キー８４を選択する。在宅中と思わせた方が良い人物であるときは、「在宅モード」キー８５を選択する。
【００３９】
ステップＳ２６において、親機制御部５６は、「通常モード」キー８４と、「在宅モード」キー８５のいずれが選択されたかの選択指示を確認する。
【００４０】
「通常モード」キー８４が選択された場合は、携帯端末２５が拾った音をそのまま子機２２に出力して、子機２２と携帯端末２５の間で通話処理を行う（ステップＳ２７）。
【００４１】
「在宅モード」キー８４が選択された場合は、ステップＳ１７と同様に、宅内の背景音と携帯端末２５の居住者２７の音声を合成して子機２２に出力して、子機２２と携帯端末２５の間で通話処理を行う（ステップＳ２８）。
【００４２】
こうして、居住者が「通常モード」と「在宅モード」を選択できるので、相手に応じて居住者が望むモードで応対ができる。たとえば、訪問者が知人であった場合には、むしろ不在であることを知らせた方が良い場合がある。このときに「在宅モード」を使用すると不在であることを信用して貰えない場合もありうるので、「通常モード」を使用した方が良い。訪問者が見知らぬ人物であった場合は、当然「在宅モード」を使用して防犯に役立てる。
【００４３】
［第３実施形態］
本実施形態は、宅内の背景音と、予め登録しておいた背景音とを選べるものである。宅内が無音状態であれば、背景音を合成しても意味が無いので、何らかの音が出ている背景音を登録してそれを音声に合成しながら宅内にも出力して応答する。ドアホンシステムの構成は、図２の第１実施形態と同じものとする。
【００４４】
この場合は、背景音は記憶部５７に記憶しておき、それを再生する。つまり記憶部５７を、背景音記憶手段として利用する。なお、本実施形態では、１つの背景音を登録するものとしているが、複数あってそれを選択するものでもよい。この場合は、親機２３から選択する背景音の名称などを携帯端末２５に送り、選択させてもよいし、予め複数の背景音の中から背景音を指定しておき、それを利用するようにしてもよい。
【００４５】
図７は、第３実施形態におけるドアホンシステムの処理を示すフローチャートである。
ステップＳ３１〜Ｓ３７は、図５のステップＳ２１〜Ｓ２７と同様の処理であるので説明は省略する。
【００４６】
図８は、第３実施形態におけるドアホンシステムによって携帯端末に表示された撮影映像を示す図である。
ステップＳ３８において、図８に示すように、携帯端末２５に訪問者２６の映像が表示され、同時に「登録背景音」キー８６と、「宅内背景音」キー８７を表示する。居住者２７は、いずれかを選択する。親機制御部５６は背景音として「登録背景音」と「宅内背景音」のいずれが選択されたかを確認する。
【００４７】
「登録背景音」キー８６が選択された場合は、親機制御部５６は記憶部５７より背景音を読み出し、それを子機出力音声処理部６０の背景音取得部７１に取得させ、音声合成部７３で端末音声抽出部７２で抽出した音声と合成する。その合成音声を子機２２に送り、スピーカ３３から出力させる。また、親機のスピーカ５４にも登録背景音を出力する。
【００４８】
「宅内背景音」キー８７が選択された場合は、ステップＳ１７と同様に、宅内の背景音と携帯端末２５の居住者の音声を合成して子機２２に出力して、子機２２と携帯端末２５の間で通話処理を行う（ステップＳ４０）。
【００４９】
こうして、宅内背景音がほとんど無音などの場合には、登録しておいた背景音を用いて在宅モードで通話を行い、さらに親機２３のスピーカ５４からも登録背景音を出力して宅内の背景音とするので、訪問者２６に在宅しているように思わせることができる。
【００５０】
［第４実施形態］
本実施形態は、外が暗くなっている場合には、応答を始める時には室内の照明を点灯させるものである。
ドアホンシステムの親機２３には、照度センサ（図２には図示せず）がついており、親機制御部５６は照度センサの検出値が閾値以下になると室内に照明が必要と判定する。ドアホンシステムは、照度センサ以外は図２の構成と同じであるが、室内照明のオンオフが可能な切替手段としてのホームコントロールシステムと連携しており、親機制御部５６から室内照明の点灯指示があると、ホームコントロールシステムは室内照明を点灯するものとする。なお、ホームコントロールシステムの照度測定手段によって、室内の照明が必要かどうかの判定が得られるならば、親機制御部５６は、その判定を持って室内照明の点灯の有無を判定してもよい。
【００５１】
図９は、第４実施形態におけるドアホンシステムの処理を示すフローチャートである。
ステップＳ５１〜Ｓ５７は、図５のステップＳ２１〜Ｓ２７と同様の処理であるので説明は省略する。
【００５２】
ステップＳ５６において、「在宅モード」が選択された場合、親機制御部５６は照度センサによって室内の照明が閾値以下になっているかを確認する（ステップＳ５８）。照度が閾値以下であれば、ホームコントロールシステムに室内照明の点灯を指示する（ステップＳ５９）。照度が閾値を超える場合は、室内照明の点灯を指示することなく、ステップＳ６０に進む。ステップＳ６０では、ステップＳ１７と同様に、宅内の背景音と携帯端末２５の居住者の音声を合成して子機２２に出力して、子機２２と携帯端末２５の間で通話処理を行う。
【００５３】
こうして、宅内モードでは、室内照明の点灯も行われるので、訪問者は居住者が在宅中であることを、より確実に信ずることになる。また、訪問者が不在を知らせてもよい人物で通常モードを選択した場合、室内照明が暗いままであるので、訪問者は居住者が不在であることを認識することになる。
【００５４】
［第５実施形態］
本実施形態は、通話文言を決めておき、直ちに接続を切るものである。この実施形態のドアホンシステムは図２に示す構成である。
【００５５】
図１０は、第５実施形態におけるドアホンシステムの処理を示すフローチャートである。
ステップＳ７１〜Ｓ７５は、図３のステップＳ１１〜Ｓ１５と同様の処理であるので説明は省略する。
【００５６】
予め決め打ちの台詞を、親機２３のマイク５５から記憶部５７に登録しておく。つまり、記憶部５７を発言記憶手段として利用する。たとえば、「今、手が離せないので、失礼します。」などのどの場面でも使える文言を登録しておく。
【００５７】
図１１は、第５実施形態におけるドアホンシステムによって携帯端末に表示された撮影映像を示す図である。
ステップＳ７６において、携帯端末２５に「在宅モードにします。」との表示８３を行い、さらに「決め文言」キー８８と、「応答通話」キー８９を表示させて居住者に選択させる。居住者２７が選択した結果を親機制御部５６が判定する（ステップＳ７７）。「決め文言」を選択したのであれば、親機制御部５６は、記憶部５７から登録していた「決め文言」を読み出し、宅内の背景音と合成して子機２２に出力し、通話を切る（ステップＳ７８）。「応答通話」を選択したのであれば、ステップＳ１７と同様に、宅内の背景音と携帯端末２５の居住者の音声を合成して子機２２に出力して、子機２２と携帯端末２５の間で通話処理を行う（ステップＳ７９）。
【００５８】
なお、背景音は宅内の背景音としたが、第３実施形態のように、登録背景音でも構わない。登録背景音の場合は、第３実施形態と同じく、親機２３のスピーカから登録背景音を出力する。
【００５９】
こうして、たとえば電車に乗る時間が迫るなどの通話応答している時間がないときなどに、とりあえず相手に応答して、在宅しているように見せられるので、方犯に役立てることができる。
【００６０】
本発明によるドアホンシステムのドアホン子機、ドアホン親機、携帯端末で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memorｙ）に蓄積され、その後、Ｆｌａｓｈ  ＲＯＭ（Read Onlｙ Memorｙ）などの各種ＲＯＭやＨＤＤ（Hard Disk Drive）に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００６２】
以上、この発明の実施形態を図面を参照して詳述してきたが、具体的な構成はこれらの実施形態に限られるものではなく、この発明の要旨を逸脱しない範囲の設計変更等された発明も含まれる。
【符号の説明】
【００６３】
１０    ：ドアホンシステム
２２    ：ドアホン子機
２３    ：ドアホン親機
２４    ：インターネット
２５    ：携帯端末
２６    ：訪問者
２７    ：居住者
３１    ：カメラ
３２    ：マイク
３３    ：スピーカ
３４    ：操作ボタン
３５    ：子機制御部
３６    ：通信部
５１    ：ドアホン通信部
５２    ：表示部
５３    ：操作ボタン
５４    ：スピーカ
５５    ：マイク
５６    ：親機制御部
５７    ：記憶部
５８    ：映像処理部
５９    ：親機出力音声処理部
６０    ：子機出力音声処理部
６１    ：携帯端末通信部
７１    ：背景音取得部
７２    ：端末音声抽出部
７３    ：音声合成部
【図１】
2016015632.tif 000003
【図２】
2016015632.tif 000004
【図３】
2016015632.tif 000005
【図４】
2016015632.tif 000006
【図５】
2016015632.tif 000007
【図６】
2016015632.tif 000008
【図７】
2016015632.tif 000009
【図８】
2016015632.tif 000010
【図９】
2016015632.tif 000011
【図１０】
2016015632.tif 000012
【図１１】
2016015632.tif 000013